(57)【要約】【課題】異なる直径のバキュームシリンジに兼用できるとともに、吸引機を長時間連続して作動していても、吸い口が閉塞し難い弾性吸入チップを提供する。【解決手段】吸引用ロッドの先端に取り付けられる円筒状の弾性吸入チップの内周面１ａを、基端側から順に、大径部２ａ，段部５，小径部２ｂに形成し、小径部２ｂを、先端側にいくにつれて縮径して形成する。さらに、外周面に二つの肉厚部６，７を外側に膨出して略筋状に形成し、チップ先端側の開口にリップ部４を突出形成する。【選択図】        図４
2004321710.tif 000002
【特許請求の範囲】
【請求項１】
吸引機の吸引用ロッドの先端に取り付けられる円筒状の弾性吸入チップにおいて、
内周面の直径を、外径が異なる複数の吸引用ロッドに対応して、複数段に設定したことを特徴とする、弾性吸入チップ。
【請求項２】
前記内周面を、基端側から順に、大径部と、段部を介して小径部として形成したことを特徴とする、請求項１に記載の弾性吸入チップ。
【請求項３】
前記小径部が、先端側にいくにつれて縮径して形成されていることを特徴とする、請求項２に記載の弾性吸入チップ。
【請求項４】
外周面に肉厚部が形成されていることを特徴とする、請求項１〜３の何れかに記載の弾性吸入チップ。
【請求項５】
前記肉厚部が前記外周面に二つ形成されており、
第一の肉厚部が、前記外周面を外側に膨出して略筋状に形成され、さらにチップ円筒軸と平行にしてチップ長さ方向中間周辺から先端まで延びており、
第二の肉厚部が、前記外周面を外側に膨出して略筋状に形成され、上記チップ円筒軸を基準にして上記第一の肉厚部と対称な前記外表面に配置されていることを特徴とする、請求項５に記載の弾性吸入チップ。
【請求項６】
先端側の開口にリップ部が突出形成されていることを特徴とする、請求項１〜５の何れかに記載の弾性吸入チップ。
【請求項７】
前記リップ部を備えた開口の周縁に、肉厚のリブが形成されていることを特徴とする、請求項６に記載の弾性吸入チップ。
【請求項８】
前記リブに、チップ内周面からチップ外周面に通ずる少なくとも一つの溝が形成されていることを特徴とする、請求項７に記載の弾性吸入チップ。
【請求項９】
チップ中空内部の先端側に設けられた支持壁と、この支持壁に形成された少なくとも１つの通路とを有することを特徴とする、請求項１〜８の何れかに記載の弾性吸入チップ。
【請求項１０】
前記段部が、前記大径部から前記小径部に向かって次第に内周面の直径を縮径させて、斜面を呈するように形成されていることを特徴とする、請求項２〜９の何れかに記載の弾性吸入チップ。
【請求項１１】
前記段部が、垂直壁として構成されていることを特徴とする、請求項２〜９の何れかに記載の弾性吸入チップ。
【発明の詳細な説明】
【０００１】
【発明の利用分野】
本発明は、例えば歯科治療などにおいて患者の口腔内の唾液や治療時に生じる切削屑などを吸引する吸引機のシリンジに関し、とくに、このシリンジの吸引用ロッドの先端に装着される弾性吸入チップに関するものである。
【０００２】
【従来の技術】
例えば歯科治療中において、患者の口腔内には、歯の切削，研削により歯から削り落ちた切削屑，研削屑や、治療用に歯を洗い流すためなどに口腔内に注入した水や薬液、患者の唾液などがたまる。これらの切削屑や唾液等は、治療の妨げとなるため、治療の途中で、たびたび患者に口をゆすがせなければならない。
【０００３】
また、従来では、歯科治療中に、医療用吸引機のシリンジ（以下、これをバキュームシリンジという）を患者の口腔内に入れて、唾液や切削屑などを吸い出しながら治療することもある。
一般的にバキュームシリンジ自体は、金属または硬質樹脂にて形成されており、このバキュームシリンジの先端には、歯の切削屑や唾液等を吸飲するための吸引口が設けられている。
【０００４】
このようにバキュームシリンジが金属製である場合、その硬い先端の吸引口で患者の歯や歯茎を傷つけることがないよう、従来から、図１３に示すようにバキュームシリンジ３０の先端の吸引口に患者保護用のシリコンゴムで柔らかく作られた弾性吸入チップ３１が取り付けられて、歯科治療に供されている（特許文献１〜３参照）。
【０００５】
【特許文献１】
特開２００１−２３１７９６号公報
【特許文献２】
特開平０８−０８０３０８号公報
【特許文献３】
特開平０９−２９９３８６号公報
【０００６】
【発明が解決しようとする課題】
しかしながら、図１３に示すような、従来の弾性吸入チップ３１は、その断面からも分かるように、特定の外径のバキュームシリンジ３０にのみ対応するものである。
一般に、医療用のバキュームシリンジ３０は、そのノズル先端断面の直径が、９ｍｍのタイプと１１ｍｍのタイプとが市販され、広く普及しているが、両者に兼用のタイプの弾性吸入チップは存在しておらず、医者側は、個々のバキュームシリンジ３０に対応する弾性吸入チップ３１を用意しなければならなかった。
【０００７】
このため、歯科治療用のインスツルメントであるバキュームシリンジ自体を新製品などに交換し、その先端の直径が変わった場合には、今まで使用していた弾性吸入チップ３１を継続して使用することができず、新製品に合致する口径の弾性吸入チップを新たに購入して付け替えなければならなかった。
また、バキュームシリンジ３０を口腔内に挿し入れて唾液や薬液等を吸引するため、従来の弾性吸入チップは柔軟なゴム製で形成されていることから、吸引機を作動させると負圧のため吸い口の湿気により内口が閉塞してしまい、たびたび操作を中断して吸い口を開く作業が必要となっていた。
【０００８】
本発明は以上の点に鑑み、異なる直径のバキュームシリンジにも兼用できる吸引機用の弾性吸入チップを提供することを目的とする。
本発明の他の目的は、吸引機を長時間連続して作動していても、吸い口が閉塞し難い弾性吸入チップを提供することを目的とする。
【０００９】
【課題を解決するための手段】
上記目的を達成するために、本発明は、吸引機の吸引用ロッドの先端に取り付けられる円筒状の弾性吸入チップにおいて、内周面の直径を、外径が異なる複数の吸引用ロッドに対応して、複数段に設定したことを特徴とするものである。
【００１０】
本発明の弾性吸入チップは、前記内周面を、基端側から順に、大径部と、段部を介して小径部として形成しており、さらに、前記小径部が、先端側にいくにつれて縮径して形成されていることを特徴としている。
【００１１】
本発明の弾性吸入チップは、好ましくは、外周面に肉厚部が形成されており、さらに好ましくは、前記肉厚部が前記外周面に二つ形成され、第一の肉厚部が、前記外周面を外側に膨出して略筋状に形成され、さらにチップ円筒軸と平行にしてチップ長さ方向中間周辺から先端まで延びており、第二の肉厚部が、前記外周面を外側に膨出して略筋状に形成され、上記チップ円筒軸を基準にして上記第一の肉厚部と対称な前記外表面に配置されている。
【００１２】
本発明の弾性吸入チップは、好ましくは、先端側の開口にリップ部が突出形成されている。また、前記リップ部を備えた開口の周縁には、肉厚のリブが形成されている。さらに、前記リブには、チップ内周面からチップ外周面に通ずる少なくとも一つの溝が形成されている。また、チップ中空内部の先端側に設けられた支持壁と、この支持壁に形成された少なくとも１つの通路とを、有する。
さらに、本発明の弾性吸入チップは、段部が、（イ）前記大径部から前記小径部に向かって次第に内周面の直径を縮径させて、斜面を呈するように、或いは（ロ）垂直壁として、形成されている。
【００１３】
これにより、本発明の弾性吸入チップは、内周面が異なる直径のバキュームシリンジに対応することができる。
また、吸引機の長時間の連続作動によっても、弾性吸入チップの吸い口が閉塞し難く、唾液や切削屑などを吸い出しながら、吸引機を停止すること無く並行して治療することができる。
【００１４】
【発明の実施の形態】
以下、図面を参照して本発明の実施形態を説明する。
図１及び図２はそれぞれ本発明の実施形態に係る弾性吸入チップ１を示す斜視図であり、図３はその側面図、図４は側面断面図であり、図５は図３のＡ−Ａ線断面図である。
弾性吸入チップ１は、内部が中空の円筒状に形成されている。さらに、弾性吸入チップ１の基端側にはバキュームシリンジ３０に取り付けるための挿入口２が形成されており、この挿入口２に対向する開口３には患者の歯茎などに柔らかく接するようにリップ部４が弾性吸入チップ１と一体的に突出形成されている。
【００１５】
ここで、本発明の弾性吸入チップ１は、通常市販されている、直径が９ｍｍと１１ｍｍのバキュームシリンジ３０に兼用できるように、内周面１ａの直径を２段階に設定して形成されていることを特徴としている。
【００１６】
具体的には、図４に示すように、弾性吸入チップ１の内周面１ａは、基端側から、例えば１４ｍｍまでは大径部２ａとして直径１０．５ｍｍに設定されているが、それより先は、小径部２ｂとして直径９．５ｍｍから次第に縮径して、Ａ地点では直径９ｍｍに設定されている。なお、直径１０．５ｍｍの内周面と直径９．５ｍｍの内周面との境界には、段部５が形成されおり、この段部５は大径部２ａ（１０．５ｍｍ）から小径部２ｂ（９．５ｍｍ）に向かって次第に内周面の直径を小径にして斜面を呈するように形成されている。なお、段部５は、斜面に形成する他に、垂直面として形成されていてもよい。
【００１７】
次に、弾性吸入チップ１は外周直径を１３．５ｍｍに設定されているが、その外周面１ｂの一部には肉厚部６，７が形成されている。
【００１８】
先ず、肉厚部６は弾性吸入チップ１の外周面１ｂを外側に膨出して略筋状に細長く一続きになっているものであり、弾性吸入チップ１の円筒軸Ｘと平行にして、弾性吸入チップ１の長さ方向中間周辺から先端に設けられたリップ部４の先端外表面にまで延びている。
【００１９】
次に、肉厚部７も、肉厚部６と同様に、弾性吸入チップ１の外周面を外側に膨出して略筋状に形成されており、弾性吸入チップ１の円筒軸Ｘと平行にして、弾性吸入チップ１の長さ方向中間周辺から先端の開口３の縁まで延びている。なお、肉厚部７の配置位置は、図５に示すように、弾性吸入チップ１の円筒軸Ｘを基準にして肉厚部６と対称な弾性吸入チップ１外表面に配置されている。
【００２０】
一例として、肉厚部６，７の弾性吸入チップ１の外表面からの高さを０．６ｍｍ程度、幅を６ｍｍ程度に設定することができる。
【００２１】
ところで、弾性吸入チップ１の開口３まわりは、図３及び図４に示すように、側面視、下端部位１１ａから中間部位１１ｂまで僅かな角度θ１で傾斜設計されており、さらに中間部位１１ｂから大きな角度θ２で傾斜設計されて、弾性吸入チップ１の先端が切り欠かれたような形態を呈している。なお、中間部位１１ｂから先端側がリップ部４として形成されている。
【００２２】
さらに、開口３の外周縁には、先端の形態を維持するために、図３に示すように、肉厚のリブ８が形成されている。このリブ８の幅は２．７ｍｍ程度で、高さ０．８ｍｍ程度に設定されており、本体と一体的にゴムで形成される。
【００２３】
次に、本発明の実施形態に係る弾性吸入チップ１の製造方法を説明すると、弾性吸入チップ１は、例えば、所定の型に樹脂材料を流し込んで製造することができる。ここで、樹脂材料としては、シリコンポリマー，二酸化ケイ素及び添加剤から成るシリコン化合物を用いることができる。このようにして、弾性を備えた弾性吸入チップ１を製造することができる。
【００２４】
次に、上記の如く構成された本発明の実施形態に係る弾性吸入チップ１の使用方法を説明する。
直径１１ｍｍのバキュームシリンジ３０に弾性吸入チップ１を取り付ける場合、先ず弾性吸入チップ１の基端側の開口２からバキュームシリンジ３０の先端を差し込む。このとき、バキュームシリンジ３０の外径が弾性吸入チップ１の内周面の直径より若干大きいことから、バキュームシリンジ３０は弾性吸入チップ１を押し広げつつ、その内部に挿入されて嵌合される。
【００２５】
そして、さらにバキュームシリンジ３０の先端を弾性吸入チップ１内に差し込むと、図６に示すように、バキュームシリンジ３０の先端が弾性吸入チップ１内の段部５に当接する。１１ｍｍのバキュームシリンジ３０をそれ以上内部に差し込むのは、段部５から先端側の内周面の直径が９．５ｍｍ以下に設定されているのでできない。
【００２６】
よって、バキュームシリンジ３０の先端が弾性吸入チップ１の段部５に当たるまで差し込むことで、弾性吸入チップ１のバキュームシリンジ３０への装着が完了する。なお、弾性吸入チップ１は、バキュームシリンジ３０により押し広げられているが、元の形態に復元する弾性力が作用して、バキュームシリンジ３０に密着する。
【００２７】
一方、直径９ｍｍのバキュームシリンジ３０に弾性吸入チップ１を取り付ける場合、弾性吸入チップ１の内周面の直径がバキュームシリンジ３０の外径よりも大きいことから、バキュームシリンジ３０は、弾性吸入チップ１の基端側の開口２から容易に挿入することができる。
そして、バキュームシリンジ３０の先端が段部５を越えると、バキュームシリンジ３０は、弾性吸入チップ１の先端側の内周面と密着することになる。このように、強制的に内奥までバキュームシリンジ３０の先端を挿入し、バキュームシリンジ３０の表面に弾性吸入チップ１の内周面が密着したら、差し込み動作を終了する。すると、図７に示すように、弾性吸入チップ１の段部５から先端にかけて次第に縮径する内周面がバキュームシリンジ３０に密着して、９ｍｍのバキュームシリンジ３０への弾性吸入チップ１の装着が完了する。
【００２８】
このようにして、本発明の実施形態に係る弾性吸入チップ１によれば、その内周面が、異なる直径のバキュームシリンジに対応するように、２段階に形成されていることから、９ｍｍと１１ｍｍの２つのタイプのバキュームシリンジに取り付けることが可能である。
【００２９】
さらに、弾性吸入チップ１の外表面に肉厚部６，７が一体に形成されていると共に、リブ８が開口３の周縁に形成されていることから、弾性吸入チップ１の先端が一定の形態を維持するように支持されている。よって、弾性吸入チップ１を患者の口腔内に入れて使用しているときに、負圧によってもチップ先端がつぶれるようなことがなく、患者の舌などに密着するのを防止できる。
また、弾性吸入チップ１の先端が一定の形態を維持することで、弾性吸入チップ１の開口３全体が患者の口腔内の舌などに覆われても、図３に示すＢ領域を空気の流通路として確保できることから、弾性吸入チップが舌などに密着するのを防止できる。
【００３０】
以上説明したが、本発明は、発明の趣旨を逸脱しない範囲において、様々な形態で実施できる。
上記図１〜７に示す弾性吸入チップ１の内周面１ａが、段部５より先端側が、小径部として次第に縮径して形成されている場合を例示したが、図８に示すように、段部５から先端側の小径部が、縮径せずに同じ直径幅の内周面として形成されていてもよい。
【００３１】
上記説明では、弾性吸入チップ１が２タイプのバキュームシリンジに対応できるように形成された場合を例示したが、対応する数は２つに限らず、他の口径のバキュームシリンジが市販される場合はこれに対応するように内径を２段以上に設けた弾性吸入チップを形成することもできる。その場合には、弾性吸入チップ１の基端側から先端側にかけて、直径の大きいシリンジ順に対応するように、その内周面の直径が設定される。例えば図９に示すように、弾性吸入チップ１の内周面に２つの段部５ａ，５ｂを形成して、３つの異なる直径のバキュームシリンジ３０に兼用させることも可能である。
【００３２】
また、上記説明では、弾性吸入チップ１の先端が患者の舌などに密着するのを規制するために、図３に示すＢ領域が空気の流通路として使用されることを示したが、さらに空気の流通を確実ならしめるために、図１０に示すように、弾性吸入チップ１の開口３周縁のリブ８に弾性吸入チップ１の内周面から外周面に通ずる溝９を形成するようにしてもよい。この溝９は、例えば幅１ｍｍ，深さ０．５ｍｍ〜０．８ｍｍ程度に設定されている。なお、図１０は、溝９がリブ８に４つ形成されている態様を例示しているが、その数は任意である。
【００３３】
さらに、上記説明においては、弾性吸入チップ１の先端が一定の形態を維持するように、開口３周縁にリブ８を形成して、先端が支持されている。弾性吸入チップ１の先端形状を支持するための構成は、このリブ８に限らず、次のようにしてもよい。すなわち、図１１及び図１２に示す弾性吸入チップ１は、弾性吸入チップ１の中空内部の先端側に、弾性吸入チップ１の中空内部から先端を支持する支持壁１０を設けている。この支持壁１０はチップ中空内部の先端側を閉塞するように形成されている。そして、支持壁１０には、吸引用の通路１１が、弾性吸入チップ１の円筒軸Ｘと平行にして、貫通している。これらの支持壁１０と通路１１とは、例えば、弾性吸入チップ１と一体に発泡成形にて製造される。なお、図１１は、通路１１が６つ支持壁１０に設定されている形態を示しているが、通路１１の数は任意であり、また、通路１１の形としても、円形の他、四角形，三角形など各種形状を適用してもよい。
【００３４】
上記では、歯科治療用のバキュームシリンジ３０に取り付けられる弾性吸入チップ１を例示したが、本発明は、物を吸引するバキューム用ホース，シリンジ，ノズルなどの吸引用ロッドにおいて、その先端を保護用に覆う場合であって、異なる種類の直径の吸引用ロッドに対応させる場合には、上記歯科治療用と同様に、適用できる。
また、上記説明で用いた数値は例示であるので、本発明を限定するものではなく、適宜変更可能な値である。
【００３５】
【発明の効果】
以上詳述したように、本発明によれば、弾性吸入チップを内周面が異なる直径のバキュームシリンジに対応するように形成していることから、複数のバキュームシリンジに兼用することができる。また、吸引機の作動中に吸入口が閉塞されるようなことも防止できる、優れた弾性吸入チップを提供することができる。
【図面の簡単な説明】
【図１】本発明の実施形態に係る弾性吸入チップの斜視図である。
【図２】本発明の実施形態に係る弾性吸入チップの斜視図である。
【図３】本発明の実施形態に係る弾性吸入チップの側面図である。
【図４】本発明の実施形態に係る弾性吸入チップの側断面図である。
【図５】図３のＡ−Ａ線断面図である。
【図６】本発明の実施形態に係る弾性吸入チップの使用状態を示す概略部分断面図である。
【図７】本発明の実施形態に係る弾性吸入チップの使用状態を示す概略部分断面図である。
【図８】本発明の他の実施の形態に係る弾性吸入チップの構成例を示す概略断面図である。
【図９】本発明の別の実施の形態に係る弾性吸入チップの構成例を示す概略断面図である。
【図１０】本発明のさらに他の実施形態に係る弾性吸入チップの構成例を示す概略斜視図である。
【図１１】本発明のさらに他の実施形態に係る弾性吸入チップの構成例を示す概略斜視図である。
【図１２】図１１の弾性吸入チップの側面断面図である。
【図１３】（ａ）は従来の弾性吸入チップの使用状態を示す図であり、（ｂ）はその断面図である。
【符号の説明】
１      弾性吸入チップ
１ａ    弾性吸入チップの内周面
１ｂ    弾性吸入チップの外周面
２      バキュームシリンジ取付用の挿入口
２ａ    大径部
２ｂ    小径部
３      開口
４      リップ部
５      段部
６，７  肉厚部
８      リブ
９      溝
１０    支持壁
１１    通路
３０    バキュームシリンジ（ロッド）
Ｘ      円筒軸
【図１】
2004321710.tif 000003
【図２】
2004321710.tif 000004
【図３】
2004321710.tif 000005
【図４】
2004321710.tif 000006
【図５】
2004321710.tif 000007
【図６】
2004321710.tif 000008
【図７】
2004321710.tif 000009
【図８】
2004321710.tif 000010
【図９】
2004321710.tif 000011
【図１０】
2004321710.tif 000012
【図１１】
2004321710.tif 000013
【図１２】
2004321710.tif 000014
【図１３】
2004321710.tif 000015